【事件の表示】
　特許第３０６７０６７号「液晶表示装置」の請求項１、２に係る特許に対する特許異議の申立てについて、次のとおり決定する。
【結　論】
　訂正を認める。
　特許第３０６７０６７号の請求項に係る特許を維持する。
【理　由】
１．手続の経緯
　特許第３０６７０６７号の請求項１に係る発明についての出願は、平成５年７月２９日に出願され、平成１２年５月１９日に設定登録され、その後、渡辺正之から特許異議の申立がなされ、平成１３年４月２０日付で取消理由通知がなされ、その指定期間内である平成１３年７月２日に訂正請求がなされたものである。
　
２．訂正の適否
２−１．訂正事項
　平成１３年７月２日付訂正請求書による訂正は、下記のとおりである。
　
ａ．特許請求の範囲の請求項１を、
「陰極線管用の映像データ信号と共に外部より入力されてくる同期信号に基づき映像を表示する液晶表示装置であって、
　前記外部より入力された映像データ信号を１ライン分格納するためのラインメモリと、
　前記ラインメモリからの映像データ信号を１フレーム分格納するためのフレームメモリと、
　前記フレームメモリから映像データ信号を受取り、前記外部より入力された同期信号に基づいて映像を表示する液晶表示ユニットと、
　水平同期信号を基準としてドットクロックを計数する水平カウンタと、
　前記水平カウンタからのカウント値を受け、垂直同期信号を基準として水平期間数を計数する垂直カウンタと、
　前記液晶表示ユニットにおける、前記水平同期信号を基準としたときの映像データ信号の開始位置までのドットクロック数、１水平表示期間中のドットクロック数、前記垂直同期信号を基準としたときの映像データ信号の開始位置までの水平期間数の設定値をそれぞれ格納する手段、
　前記映像データ信号の表示開始位置と表示終了位置と水平・垂直同期信号とのそれぞれの相対位置のズレを検出する手段と、
　前記検出されたズレに基づき、前記水平カウンタ及び前記垂直カウンタで計数された映像表示期間の水平・垂直開始位置までのドットクロック数および水平期間数のカウント値をそれぞれ増減する手段と、
　前記水平カウンタからのカウンタ値又はこれを増減した値が前記映像データ信号の開始位置までのドットクロック数の設定値と一致した場合に、前記ラインメモリへの書き込みスタートパルスを発生させる手段と、
　前記垂直カウンタからのカウンタ値又はこれを増減した値が前記映像データ信号の開始位置までの水平期間数の設定値と一致した場合に、前記フレームメモリへの書き込みスタートパルスを発生させる手段とを具備し、
　液晶表示装置における表示位置の左右上下方向のズレを調整することを特徴とする液晶表示装置。」
　と訂正する。
ｂ．特許請求の範囲の請求項２を削除する。
ｃ．特許明細書の【課題を解決するための手段】の欄(段落【００２２】)を
　「上記目的は、本発明によれば、陰極線管用の映像データ信号と共に外部より入力されてくる同期信号に基づき映像を表示する液晶表示装置であって、前記外部より入力された映像データ信号を１ライン分格納するためのラインメモリと、前記ラインメモリからの映像データ信号を１フレーム分格納するためのフレームメモリと、前記フレームメモリから映像データ信号を受取り、前記外部より入力された同期信号に基づいて映像を表示する液晶表示ユニットと、水平同期信号を基準としてドットクロックを計数する水平カウンタと、前記水平カウンタからのカウント値を受け、垂直同期信号を基準として水平期間数を計数する垂直カウンタと、前記液晶表示ユニットにおける、前記水平同期信号を基準としたときの映像データ信号の開始位置までのドットクロック数、１水平期間中のドットクロック数、前記垂直同期信号を基準としたときの映像データ信号の開始位置までの水平期間数の設定値をそれぞれ格納する手段と、前記映像データ信号の表示開始位置と表示終了位置と水平・垂直同期信号とのそれぞれの相対位置のズレを検出する手段と、前記検出されたズレに基づき、前記水平カウンタおよび垂直カウンタで計数された映像表示期間の水平・垂直開始位置までのドットクロック数および水平期間数のカウント値をそれぞれ増減する手段と、前記水平カウンタからのカウント値又はこれを増減した値が前記映像データ信号の開始位置までのドットクロック数の設定値と一致した場合に、前記ラインメモリへの書き込みスタートパルスを発生させる手段と、前記垂直カウンタからのカウンタ値又はこれを増減した値が前記映像データ信号の開始位置までの水平期間数の設定値と一致した場合に、前記フレームメモリへの書き込みスタートパルスを発生させる手段とを具備し、液晶表示装置における表示位置の左右上下方向のズレを調整することを特徴とする液晶表示装置によって達成される。」
　と訂正する。
ｄ．特許明細書の段落【００３１】第６行目「前記レジスタ」を「前記水平カウンタ」に訂正する。
　
２−２．訂正の目的の適否、新規事項の有無及び拡張・変更の存否
　上記訂正事項ａ，ｂは、特許請求の範囲の減縮を目的とし、新規事項の追加に該当せず、実質上特許請求の範囲を拡張し、又は変更するものではない。
　また、上記訂正事項ｃは、明りょうでない記載の釈明を目的とし、新規事項の追加に該当せず、実質上特許請求の範囲を拡張し、又は変更するものではない。
　そして、上記訂正事項ｄは、誤記の訂正を目的とし、新規事項の追加に該当せず、実質上特許請求の範囲を拡張し、又は変更するものではない。
　
２−３．むすび
　以上のとおりであるから、上記訂正は、特許法第１２０条の４第２項及び第３項で準用する特許法第１２６条第２〜３項の規定に適合するので、当該訂正を認める。
　
３．本件発明
　本件特許の請求項１に係る発明は、訂正明細書及び図面の記載からみて、その特許請求の範囲の請求項１に記載された次のとおりのものである。(以下「本件発明」という。)
　
「陰極線管用の映像データ信号と共に外部より入力されてくる同期信号に基づき映像を表示する液晶表示装置であって、
　前記外部より入力された映像データ信号を１ライン分格納するためのラインメモリと、
　前記ラインメモリからの映像データ信号を１フレーム分格納するためのフレームメモリと、
　前記フレームメモリから映像データ信号を受取り、前記外部より入力された同期信号に基づいて映像を表示する液晶表示ユニットと、
　水平同期信号を基準としてドットクロックを計数する水平カウンタと、
　前記水平カウンタからのカウント値を受け、垂直同期信号を基準として水平期間数を計数する垂直カウンタと、
　前記液晶表示ユニットにおける、前記水平同期信号を基準としたときの映像データ信号の開始位置までのドットクロック数、１水平表示期間中のドットクロック数、前記垂直同期信号を基準としたときの映像データ信号の開始位置までの水平期間数の設定値をそれぞれ格納する手段、
　前記映像データ信号の表示開始位置と表示終了位置と水平・垂直同期信号とのそれぞれの相対位置のズレを検出する手段と、
　前記検出されたズレに基づき、前記水平カウンタ及び前記垂直カウンタで計数された映像表示期間の水平・垂直開始位置までのドットクロック数および水平期間数のカウント値をそれぞれ増減する手段と、
　前記水平カウンタからのカウンタ値又はこれを増減した値が前記映像データ信号の開始位置までのドットクロック数の設定値と一致した場合に、前記ラインメモリへの書き込みスタートパルスを発生させる手段と、
　前記垂直カウンタからのカウンタ値又はこれを増減した値が前記映像データ信号の開始位置までの水平期間数の設定値と一致した場合に、前記フレームメモリへの書き込みスタートパルスを発生させる手段とを具備し、
　液晶表示装置における表示位置の左右上下方向のズレを調整することを特徴とする液晶表示装置。」
　
４．取消理由通知
４−１．取消理由通知の概要
　当審が通知した取消理由通知の概要は、以下の通りである。
　
a)　訂正前の請求項１に係る発明は、下記刊行物１記載の発明に基づき当業者が容易に発明することができたものであるから、訂正前の請求項１に係る特許は、特許法第２９条第２項の規定に違反して特許されたものである。
b)　訂正前の請求項２に係る発明は、下記刊行物１，２，３記載の発明に基づき当業者が容易に発明することができたものであるから、訂正前の請求項１に係る特許は、特許法第２９条第２項の規定に違反して特許されたものである。
c)　訂正前の請求項２の記載は、
c-1)「ラインメモリ」に書き込まれる１ライン分の映像信号がどこから入力されたものか、又は、他のどの手段から出力されたものか明らかではない点。
c-2)「フレームメモリ」に書き込まれる１フレーム分の映像信号がどこから入力されたものか、又は、他のどの手段から出力されたものか明らかではない点。
c-3)「ラインメモリへの書き込みスタートパルスを前記ドットクロックの計数手段のカウント値に基づき発生させる手段」が、訂正前の請求項２が引用する訂正前の請求項１に記載される「検出されたズレに基づき映像表示期間の水平・垂直開始位置までのドットクロック数又は水平期間数のカウント値を変更する手段」とどのように関係しているか明らかではない点。
c-4)「フレームメモリへの書き込みスタートパルスを前記水平期間の計数手段ののカウント値に基づき発生させる手段」が、訂正前の請求項２が引用する訂正前の請求項１に記載される「検出されたズレに基づき映像表示期間の水平・垂直開始位置までのドットクロック数又は水平期間数のカウント値を変更する手段」とどのように関係しているか明らかではない点。
c-5)「前記ドットクロックの計数手段」と記載されているが、対応する「ドットクロックの計数手段」が存在しない点。
c-6)「前記水平期間の計数手段」と記載されているが、対応する「水平期間の計数手段」が存在しない点。
　で不備であり、訂正前の請求項２に係る特許は特許法第３６条第５項の規定に違反して特許されたものである。
　
刊行物１　　特開昭６２−２３９１９０号公報
刊行物２　　特開平１−１２９２９２号公報
刊行物３　　特開昭５８−１７９０６４号公報
　
４−２．訂正後の請求項の記載についての当審の判断
　請求項２が削除されたことにより、上記「４−１．取消理由通知の概要」c)項で示した、記載不備は存在しないこととなった。
　また、訂正された請求項１にも同様の記載不備は存在しない。
　
４−３．刊行物記載の発明
４−３−１．刊行物１
　上記刊行物１には下記の記載がある。
　
「本発明は、ＣＲＴセパレート信号インターフェースを持つ表示装置における画像位置の自動調節回路に関する。」(公報第１頁左下欄第１２〜１４行)
「[従来の技術]
　従来、文字や図形表示用のCRTモニタは、パソコン等から送られてくるセパレート信号の画像領域より広範囲の表示領域をもつ。ところが、液晶表示体、プラズマ表示体、EL表示体等でCRTコンパチブルなインターフェースを持つ表示装置を作ろうとした時、CRTモニタと同様に画像領域より広範囲の表示領域を持てば問題ないが、これらの表示体は高価なため、画像領域と同じ大きさの表示領域をもつ場合が多い。
　このような表示装置において、表示領域の位置は、予め送られてくるセパレート信号の画像位置を合わせてあるか、あるいは、手動で合わせられるようにしてあるのが普通であった。」(公報第１頁右下欄第４〜１７行)
「[実施例]
　以下本発明の詳細を説明する。
　第１図は、本発明の一実施例を示す回路図である。
　ロウカウンタ１はＶＳＣ８とＨＳＣ９を基準に第２図に示すＦＶ１〜４のようなフラグを出力する。表示画面の垂直バックポーチはＣＰＵ７によって設定される。
　ＦＶ１は表示画面の垂直バックポーチ期間中であることを示すフラグ、ＶＶ２は表示画面の最も上のライン期間であることを示すフラグ、ＦＶ３は表示画面の最も下のライン期間であることを示すフラグ、ＦＶ４は表示画面の垂直フロントポーチ期間中であることを示すフラグである。
　カラムカウンタ２はＨＳＣ９とＤＣＫ１０を基準に第２図に示すＦＨ１〜４のようなフラグを出力する。表示画面の水平バックポーチはＣＰＵ３によって設定される。ＦＨ１は表示画面の水平バックポーチ期間であることを示すフラグ、ＦＨ２は表示画面の最も左の列期間であることを示すフラグ、ＦＨ３は表示期間の最も右の列期間であることを示すフラグ、ＦＨ４は表示画面の水平フロントポーチ期間であることを示すフラグである。
　入力される映像信号ＶＤ１１はＦＶ１〜４、ＦＨ１〜４とＡＮＤゲート３でそれぞれ論理積をとってＪＫ−ＦＦ４のＪ１〜８へ入力される。ＪＫ−ＦＦ３のＫ入力はすべて’Ｌ’なのでＪＫ−ＦＦ３は立ち上がりオンリーのＦＦとして動作する。それぞれのフラグのたった期間に映像データ１１が存在するなら、そのフラグに対応したビット１２が立つ。
　画像のフレームの始めに、ＪＫ−ＦＦ３の内容は次段のＤ−ＦＦ５にラッチされ、ＪＫ−ＦＦ３の内容はクリアされる。
　ＣＰＵ７はＤ−ＦＦ５の内容を読み込むことによって、送られてくる映像信号の、表示画面周辺の位置情報を知ることができる。ＣＰＵ７はこの情報を基に垂直、水平バックポーチの値を設定することによって、画面を適正な位置へ調節することができる。
　又、さらに詳しく説明すると、ＣＰＵ７が、ロウカウンタ１に数値を設定することによってフラグＦＶ１の信号の幅が調整される。フラグＦＶ１は、ＶＳＣが開始された後のＨＳＣの立ち下がりの数をカウントしている。ＣＰＵ７がセットするのは、このＥＶ１に関するカウンタ値のみで、垂直同期信号の周期と垂直表示期間は一定であるので、ＦＶ１が決まることによって、他のＦＶ２、ＦＶ３、ＦＶ４も自動的に決定される。
　ＪＫ−ＦＦ４のＪ・入力が、ハイになっているのは、第３図に示されるように実画面２００より映像データ１００が情報に存在する場合である。この場合、第１図より明らかなように、映像信号１１及びフラグＦＶ１がアンドゲートに入力されているので、ＪＫ−ＦＦ４のＪ・入力がハイになる。
　一垂直期間がおわると、エッジ検出回路６が、ＶＳＣ信号８のエッジを検出して、それにより、ＪＫ−ＦＦ４の出力Ｑ１〜Ｑ８ガラッ４５にラッチされ、この状態をＣＰＵ７が読み取ることにより、ＣＰＵ７が、フラグＦＶ１の値を調整して、映像データ１００と実画面２００のズレを修正する。修正方法としては、例えば、ロウカウンタ１にセットする値をラッチ５のＱ１出力がローになるまで１つづつ減らしていくこと等の制御が考えられる。
　又、反対にラッチ５のＱ４出力がハイであったら、映像データ１００が実画面２００と比較して下方にずれているということであるから、ロウカウンタ１にセットする値を増やして、映像データ１００を情報にシフトしてやる。
　又、以上は、上下方向の話であるが全く同様なことが、ＦＨ１、ＦＨ４についてもいえ、これらを調整することによって、左右方向のずれを調整できる。
　又、第４図に示すように、映像データ１５０が実画面２００に比較して大きい場合、フラグＦＶ２、ＦＶ３が有効になる。すなわち、第４図に示すような状態の場合、上側の辺をそろえようとする場合を考える。この場合、まず、ラッチ５のＱ１出力をハイからローにするよう。ロウカウンタ１を調整する。この時、急激にシフトすると例えば、下方に行きすぎてしまう場合がある。そうすると、今度は、ラッチ５のＱ４出力をローにする方向にシフトする。このシフトは、ラッチ５のＱ２出力が、ハイになるまで続けられ、Ｑ２がハイになった時点でシフトは、終了する。この時、Ｑ２がハイになるという条件でシフトを止めないと、上方にシフトしていってＱ１がハイになってしまうと又、Ｑ１をローにする方向にシフトが始まり前述の過程のくり返しになり、画面が振動してしまう。
　又、いったん位置合わせをした後、なんらかの原因で映像データが例えば下方にシフトした場合、ラッチ５のＱ１とＱ４だけを上下位置調整の判断材料としているとすれば、Ｑ１はすでにローになっているので、下方にシフトしたかどうかの判定ができないが、ラッチ５のＱ２を用いれば、Ｑ２がハイからローに変わることによりずれが生じたことをＣＰＵ７が認識することができ、再び一合わせのシーケンマを始めることができる。
　以上のような事態に備えて、フラグＦＶ２、ＦＶ３が必要なのである。
[効果]
　従来、画像位置の調節は人が画面を見ながら行っていたが、以上説明した様に本表示制御装置を使用すれば、画像位置の調節は表示装置側で自動的に行うことができる。
　又、本発明の場合、フラグＦＶ１〜ＦＶ４、ＦＨ１〜ＦＨ４とビデオ信号のアンドが取られたものがステータスとなっているので、画像の位置調整は、映像データのうちの実際に画像のある位置を実画面と一致させることができ、実用的な画面位置あわせが可能となる。」(公報第２頁左上欄第１９行〜第３頁左下欄第１１行)
　
４−３−２．刊行物２
　上記刊行物２には下記の記載がある。
　
「[産業上の利用分野]
　本発明は、例えば、パソコンのＣＲＴ表示信号を液晶駆動信号に変換するフレーム変換装置において用いるのに好適なデータ表示開始位置情報の生成装置に係り、特に、画像データの帰線期間を検出し、書き込み開始位置を自動的に生成する装置に関する。」(公報第１頁右下欄第１０〜１６行)
「第３図はＶＬｉの構成図で、９はパソコン、１は水平同期信号、２はドットクロック、１２は垂直同期信号、６は、表示データ、１３は書き込みアドレス生成回路、１４は書き込みアドレス、１５は液晶制御回路、１６は読み出しアドレス生成回路、１７は読み出しアドレス、１８はメモリ制御回路、１９はセレクタ、２０はフレームメモリ、２１は液晶表示データ、１１は液晶モジュールである。」(公報第２頁左上欄第６〜１４行)
「これらの処理は、第５図に示すような書き込みアドレス生成回路１３で行われる。これらは、大きく分けて、垂直制御回路(垂直バックポーチ２２、垂直ＢＰカウンタ２３、垂直カウンタ２６)、水平制御回路(水平バックポーチ２５、水平ＢＰカウンタ２４、水平カウンタ２７)、アドレス生成回路２８から構成されている。垂直制御回路と水平制御回路とは、入力される信号が異なるだけで、ほぼ同様に動作するため、以下、水平制御回路を例にとり、その動作を説明する。水平ＢＰカウンタ２４は、水平同期信号１によりクリアされ、ドットクロック２の立ち上がりで+１される。そのカウント値が水平バックポーチ２５になると、第６図(b)のように、水平クリア信号ＨＣを出力し、水平カウンタ２７をクリアする。さらに、水平アドレスＨＡは、”φ”〜”６３９”まで１ずつ増加する。同様に、垂直アドレスＶＡが得られる。アドレス生成回路２８では、これら２つのアドレスをもとに、(書き込みアドレス)=(垂直アドレス)×６４０＋(水平アドレス)の演算を行い、書き込みアドレス１４を得る。
　このように、垂直・水平同期信号から一定時間(垂直・水平ＢＰ値)経過後、表示データはフレームメモリに書き込まれる。したがって、各同期信号からのバックポーチと、フロントポーチの期間を除き、表示期間のみフレームメモリに記憶される。この場合、水平ＢＰ値ＨＰは、第７図のように、外部で設定されたＤｉＰＳＷ２９の情報を書き込み制御回路３１により、レジスタ３０に転送して、水平ＢＰ値ＨＰを出力している。また、垂直バックポーチ２２も同様であり、各ＤｉＰＳＷも独立に存在する。この動作は、第８図のように、書き込み信号３２が液晶モジュール１１の１フレーム時間を単位として発生し、この信号の立ち上がりでＤｉＰＳＷ２９の上方をレジスタ３０に書き込む。これによって、水平・垂直ＢＰ値は、各ＤｉＰＳＷを変更しても、１フレーム期間は固定した値となるので、１フレーム中の書き込み開始位置は変動しない、
　以上のように、水平ＢＰ値、垂直ＢＰ値は、ＤｉＰＳＷを使って、ＶＬｉのユーザにより設定される。」(公報第２頁右下欄第１行〜第３頁右上欄第１行)
　また、第３図には、フレームメモリから映像データ信号を受取り映像を表示する液晶表示ユニットを有する装置が記載されている。
　
４−３−３．刊行物３
　上記刊行物３には下記の記載がある。
　
「従ってフレームメモリの入力側と出力側とは通常は非同期となっている。」(公報第１頁右下欄第９〜１１行)
「本発明は入力ビデオ信号の水平ブランキング期間は必ずしも信号を伝送する必要のないことを利用して、フレームメモリーの前段にラインメモリーを設け、このラインメモリーに水平ブランキング期間を除くデータを一旦書き込み、これを基準クロックで読み出し、読み出されたデータをフレームメモリーに書き込むようにしたものである。」(公報第２頁左上欄第１２〜１８行)
　
４−４．対比
　本件発明と上記刊行物１記載の発明を比較する。
　
　第一に、上記刊行物１の「本発明は、ＣＲＴセパレート信号インターフェースを持つ表示装置における画像位置の自動調節回路に関する。」という記載からみて、上記刊行物１記載の発明も本件発明と同様に「陰極線管用の映像データ信号と共に外部より入力されてくる同期信号に基づき映像を表示する」装置に適用するものである。
　第二に、上記刊行物１の「カラムカウンタ２はＨＳＣ９とＤＣＫ１０を基準に第２図に示すＦＨ１〜４のようなフラグを出力する。」という記載からみて、上記刊行物１記載の発明の「カラムカウンタ２」は本件発明の「水平カウンタ」に相当する。
　第三に、上記刊行物１の「ロウカウンタ１はＶＳＣ８とＨＳＣ９を基準に第２図に示すＦＶ１〜４のようなフラグを出力する。」という記載からみて、上記刊行物１記載の発明の「ロウカウンタ１」は、本件発明の「垂直カウンタ」に相当するとともに、「水平期間数」を計数するものである。
　第四に、上記刊行物１の「ＣＰＵ７が、ロウカウンタ１に数値を設定することによってフラグＦＶ１の信号の幅が調整される。フラグＦＶ１は、ＶＳＣが開始された後のＨＳＣの立ち下がりの数をカウントしている。ＣＰＵ７がセットするのは、このＥＶ１に関するカウンタ値のみで、垂直同期信号の周期と垂直表示期間は一定であるので、ＦＶ１が決まることによって、他のＦＶ２、ＦＶ３、ＦＶ４も自動的に決定される。」「又、以上は、上下方向の話であるが全く同様なことが、ＦＨ１、ＦＨ４についてもいえ、これらを調整することによって、左右方向のずれを調整できる。」という記載からみて、上記刊行物１記載の発明の「カラムカウンタ２」「ロウカウンタ１」は、本件発明の「水平同期信号を基準としたときの映像データ信号の開始位置までのドットクロック数」「１水平表示期間中のドットクロック数」「垂直同期信号を基準としたときの映像データ信号の開始位置までの水平期間数」に相当する値を記憶するものである。
　第五に、　上記刊行物１記載の発明の「カラムカウンタ２」「ロウカウンタ１」が「ＦＶ１〜４、ＦＨ１〜４」という出力をするところからみて、上記「カラムカウンタ２」「ロウカウンタ１」は単なる計数をするのみではなく、計数値と本件発明の「水平同期信号を基準としたときの映像データ信号の開始位置までのドットクロック数」「１水平表示期間中のドットクロック数」「垂直同期信号を基準としたときの映像データ信号の開始位置までの水平期間数」に相当する値との「比較」を行う機能を有している。また、上記刊行物１の「入力される映像信号ＶＤ１１はＦＶ１〜４、ＦＨ１〜４とＡＮＤゲート３でそれぞれ論理積をとってＪＫ−ＦＦ４のＪ１〜８へ入力される。ＪＫ−ＦＦ３のＫ入力はすべて’Ｌ’なのでＪＫ−ＦＦ３は立ち上がりオンリーのＦＦとして動作する。それぞれのフラグのたった期間に映像データ１１が存在するなら、そのフラグに対応したビット１２が立つ。」という記載からみて、上記刊行物１記載の発明の「ビット１２」が本件発明の「相対位置のずれ」を表している。したがって、上記刊行物１記載の発明の「カラムカウンタ２」「ロウカウンタ１」「ＡＮＤゲート３」「ＪＫ−ＦＦ４」の組み合わせが、本件発明の「映像データ信号の表示開始位置と表示終了位置と水平・垂直同期信号とのそれぞれの相対位置のズレを検出する手段」に相当する。
　第六に、上記刊行物１記載の発明の「従来、画像位置の調節は人が画面を見ながら行っていたが、以上説明した様に本表示制御装置を使用すれば、画像位置の調節は表示装置側で自動的に行うことができる。又、本発明の場合、フラグＦＶ１〜ＦＶ４、ＦＨ１〜ＦＨ４とビデオ信号のアンドが取られたものがステータスとなっているので、画像の位置調整は、映像データのうちの実際に画像のある位置を実画面と一致させることができ、実用的な画面位置あわせが可能となる。」という記載からみて、上記刊行物１記載の発明も本件発明と同様に「表示位置の左右上下方向のズレを調整することを特徴とする」ものである。
　したがって、本件発明と上記刊行物１記載の発明は「陰極線管用の映像データ信号と共に外部より入力されてくる同期信号に基づき映像を表示する装置であって、水平同期信号を基準としてドットクロックを計数する水平カウンタと、垂直同期信号を基準として水平期間数を計数する垂直カウンタと、前記水平同期信号を基準としたときの映像データ信号の開始位置までのドットクロック数、１水平表示期間中のドットクロック数、前記垂直同期信号を基準としたときの映像データ信号の開始位置までの水平期間数の設定値をそれぞれ格納する手段、前記映像データ信号の表示開始位置と表示終了位置と水平・垂直同期信号とのそれぞれの相対位置のズレを検出する手段を有し、表示位置の左右上下方向のズレを調整することを特徴とする装置」で一致し、下記の点で相違する。
　
(あ)　本件発明は「外部より入力された映像データ信号を１ライン分格納するためのラインメモリと、前記ラインメモリからの映像データ信号を１フレーム分格納するためのフレームメモリ」を有するのに対し、上記刊行物１にはこの点が記載されていない点。
(い)　本件発明は「フレームメモリから映像データ信号を受取り、前記外部より入力された同期信号に基づいて映像を表示する液晶表示ユニット」を有するのに対し、上記刊行物１にはこの点が記載されていない点。
(う)　本件発明の「垂直カウンタ」は「水平カウンタからのカウント値を受け」て計数しているのに対し、上記刊行物１記載の発明の「ロウカウンタ」は水平同期信号を受けて計数している点。
(え)　本件発明は「前記検出されたズレに基づき、前記水平カウンタ及び前記垂直カウンタで計数された映像表示期間の水平・垂直開始位置までのドットクロック数および水平期間数のカウント値をそれぞれ増減する手段」を有し、「水平カウンタ」「垂直カウンタ」の出力を増減させてずれを解消するのに対し、上記刊行物１に「この状態をＣＰＵ７が読み取ることにより、ＣＰＵ７が、フラグＦＶ１の値を調整して、映像データ１００と実画面２００のズレを修正する。修正方法としては、例えば、ロウカウンタ１にセットする値をラッチ５のＱ１出力がρになるまで１つづつ減らしていくこと等の制御が考えられる。又、反対にラッチ５のＱ４出力がハイであったら、映像データ１００が実画面２００と比較して下方にずれているということであるから、ロウカウンタ１にセットする値を増やして、映像データ１００を情報にシフトしてやる。」と記載されるように、上記刊行物１記載の発明は、本件発明の「水平同期信号を基準としたときの映像データ信号の開始位置までのドットクロック数」「垂直同期信号を基準としたときの映像データ信号の開始位置までの水平期間数」に相当する値を直接変更してずれを解消している点。
(お)　本件発明は「前記水平カウンタからのカウンタ値又はこれを増減した値が前記映像データ信号の開始位置までのドットクロック数の設定値と一致した場合に、前記ラインメモリへの書き込みスタートパルスを発生させる手段と、前記垂直カウンタからのカウンタ値又はこれを増減した値が前記映像データ信号の開始位置までの水平期間数の設定値と一致した場合に、前記フレームメモリへの書き込みスタートパルスを発生させる手段」を有するのに対し、上記刊行物１にはこの点が記載されていない点。
　
４−５．当審の判断
４−５−１．相違点(あ)
　上記刊行物１の「[従来の技術]従来、文字や図形表示用のCRTモニタは、パソコン等から送られてくるセパレート信号の画像領域より広範囲の表示領域をもつ。ところが、液晶表示体、プラズマ表示体、EL表示体等でCRTコンパチブルなインターフェースを持つ表示装置を作ろうとした時、CRTモニタと同様に画像領域より広範囲の表示領域を持てば問題ないが、これらの表示体は高価なため、画像領域と同じ大きさの表示領域をもつ場合が多い。このような表示装置において、表示領域の位置は、予め送られてくるセパレート信号の画像位置を合わせてあるか、あるいは、手動で合わせられるようにしてあるのが普通であった。」という記載からみて、上記刊行物１記載の発明も「液晶表示」対象とするものである。また、上記刊行物２第３図にも記載されるように液晶表示装置としてフレームメモリを構成として有することは周知であり、そのとき、入力映像信号の同期信号と、出力となる液晶の走査信号が必ずしも同期していないことは良く知られている。
　そして、上記刊行物３には、ラインメモリとフレームメモリを組みあわせ、全体として入出力が非同期のフレームメモリとして動作させることが記載されており、それを上記刊行物２にも記載されるように液晶表示装置の構成要件として周知のフレームメモリに用い、上記刊行物１記載の発明の構成として単に採用することに格別の技術的困難性は認められない。
　
４−５−２　相違点(い)
　上記「４−５−１．相違点(あ)」で述べたように、上記刊行物１記載の発明も「液晶表示」対象とするものであり、その構成として、上記刊行物２第３図にも記載されるように液晶表示装置として周知の構成であるフレームメモリから映像データを受取り映像を表示する液晶表示ユニットを採用することに格別の技術的困難性は認められない。
　
４−５−３．相違点(う)
　上記刊行物１記載の発明の「ロウカウンタ」も本件発明の「垂直カウンタ」も「水平期間数」を計数するためのものであることを考えると、上記刊行物１記載の発明のように垂直同期信号を基準として水平同期信号の数を計数したとしても、本件発明のように「水平カウンタからのカウント値を受け、垂直同期信号を基準として水平期間数を計数」したとしても、同様な出力が得られるから、上記相違点(う)は当業者が適宜なしえた設計的事項に過ぎない。
　
４−５−４．相違点(え)
　上記「４−４．対比」の欄で示したように、上記刊行物１記載の発明の「カラムカウンタ」「ロウカウンタ」は単なる計数をするのみではなく、計数値と本件発明の「水平同期信号を基準としたときの映像データ信号の開始位置までのドットクロック数」「１水平表示期間中のドットクロック数」「垂直同期信号を基準としたときの映像データ信号の開始位置までの水平期間数」に相当する値との「比較」を行う機能を有している。また、本件発明の「「映像データ信号の表示開始位置と表示終了位置と水平・垂直同期信号とのそれぞれの相対位置のズレを検出する手段」も「ズレ」を検出するために「比較」をする機能を有している。
　ここで、補正した値に対して「比較」を行うときに、基準となる値に補正行う場合と、比較の対象となる値に対して補正を行う場合は、その補正の符号のみを異ならせることによって、同様な結果が得られることは数学的に明らかである。
　したがって、上記刊行物１記載の発明のように基準となる値に補正を行うことを、本件発明のように比較の対象となる値に補正を行うようにしたことは、当業者が容易になしえたことである。
　
４−５−５．相違点(お)
　上記刊行物３の「フレームメモリーの前段にラインメモリーを設け、このラインメモリーに水平ブランキング期間を除くデータを一旦書き込み、これを基準クロックで読み出し、読み出されたデータをフレームメモリーに書き込むようにした」という記載からみて、上記刊行物３記載の発明は「水平ブランキング期間」以外の映像信号はすべてフレームメモリに書き込むことを前提としたものであり、上記刊行物２の「各同期信号からのバックポーチと、フロントポーチの期間を除き、表示期間のみフレームメモリに記憶される。」という記載を勘案したとしても、「水平カウンタからのカウンタ値又はこれを増減した値が前記映像データ信号の開始位置までのドットクロック数の設定値と一致した場合に、前記ラインメモリへの書き込みスタートパルスを発生させる手段」「垂直カウンタからのカウンタ値又はこれを増減した値が前記映像データ信号の開始位置までの水平期間数の設定値と一致した場合に、前記フレームメモリへの書き込みスタートパルスを発生させる手段」という詳細な構成を当業者が容易に発明できたものとは認められない。
　
４−５−６．まとめ
　上記相違点(あ)〜(え)の事項が容易になし得るといえるとしても、上記相違点(お)の事項を容易になし得たということができず、上記相違点(あ)〜(お)の事項があいまって、本件発明は、明細書段落【００５３】にも記載されるような高速な映像表示位置調節を行えるという効果を奏するものである。
　したがって、本件発明は上記刊行物１〜３記載の発明に基づき当業者が容易に発明できたものとはいえない。
　
５．特許異議申立てについて
５−１．特許異議申立ての理由の概要
　特許異議申立人渡辺正之は、下記甲第１〜２号証を提出し、訂正前の請求項１，２に係る発明の特許は、特許法第２９条第２項の規定に違反してなされたものであるから、取り消すべき旨主張している。
　
甲第１号証　　特開昭６２−２３９１９０号公報
甲第２号証　　特開平１−１２９２９２号公報
　
５−２．特許異議申立ての理由に対する判断
　特許異議申立人渡辺正之の上記特許異議の申立ての理由は、「４−１．取消理由通知の概要」に示した当審が通知した取消理由通知で引用した刊行物１〜３のうち、刊行物１，２のみを引用するものである。
　そして、上記「４−５．当審の判断」で示したように、当審が通知した取消理由では、本件特許を取り消すことができないから、特許異議申立人渡辺正之の特許異議の申立ての理由によっても、本件特許を取り消すことはできない。
　
６．むすび
　以上のとおりであるから、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１３年８月１４日（２００１．８．１４）
【訂正の要旨】
訂正の要旨
ａ．特許請求の範囲の請求項１を、
「陰極線管用の映像データ信号と共に外部より入力されてくる同期信号に基づき映像を表示する液晶表示装置であって、
　前記外部より入力された映像データ信号を１ライン分格納するためのラインメモリと、
　前記ラインメモリからの映像データ信号を１フレーム分格納するためのフレームメモリと、
　前記フレームメモリから映像データ信号を受取り、前記外部より入力された同期信号に基づいて映像を表示する液晶表示ユニットと、
　水平同期信号を基準としてドットクロックを計数する水平カウンタと、
　前記水平カウンタからのカウント値を受け、垂直同期信号を基準として水平期間数を計数する垂直カウンタと、
　前記液晶表示ユニットにおける、前記水平同期信号を基準としたときの映像データ信号の開始位置までのドットクロック数、１水平表示期間中のドットクロック数、前記垂直同期信号を基準としたときの映像データ信号の開始位置までの水平期間数の設定値をそれぞれ格納する手段、
　前記映像データ信号の表示開始位置と表示終了位置と水平・垂直同期信号とのそれぞれの相対位置のズレを検出する手段と、
　前記検出されたズレに基づき、前記水平カウンタ及び前記垂直カウンタで計数された映像表示期間の水平・垂直開始位置までのドットクロック数および水平期間数のカウント値をそれぞれ増減する手段と、
　前記水平カウンタからのカウンタ値又はこれを増減した値が前記映像データ信号の開始位置までのドットクロック数の設定値と一致した場合に、前記ラインメモリへの書き込みスタートパルスを発生させる手段と、
　前記垂直カウンタからのカウンタ値又はこれを増減した値が前記映像データ信号の開始位置までの水平期間数の設定値と一致した場合に、前記フレームメモリへの書き込みスタートパルスを発生させる手段とを具備し、
　液晶表示装置における表示位置の左右上下方向のズレを調整することを特徴とする液晶表示装置。」
　と訂正する。
ｂ．特許請求の範囲の請求項２を削除する。
ｃ．特許明細書の【課題を解決するための手段】の欄（段落【００２２】）を
　「上記目的は、本発明によれば、陰極線管用の映像データ信号と共に外部より入力されてくる同期信号に基づき映像を表示する液晶表示装置であって、前記外部より入力された映像データ信号を１ライン分格納するためのラインメモリと、前記ラインメモリからの映像データ信号を１フレーム分格納するためのフレームメモリと、前記フレームメモリから映像データ信号を受取り、前記外部より入力された同期信号に基づいて映像を表示する液晶表示ユニットと、水平同期信号を基準としてドットクロックを計数する水平カウンタと、前記水平カウンタからのカウント値を受け、垂直同期信号を基準として水平期間数を計数する垂直カウンタと、前記液晶表示ユニットにおける、前記水平同期信号を基準としたときの映像データ信号の開始位置までのドットクロック数、１水平期間中のドットクロック数、前記垂直同期信号を基準としたときの映像データ信号の開始位置までの水平期間数の設定値をそれぞれ格納する手段と、前記映像データ信号の表示開始位置と表示終了位置と水平・垂直同期信号とのそれぞれの相対位置のズレを検出する手段と、前記検出されたズレに基づき、前記水平カウンタおよび垂直カウンタで計数された映像表示期間の水平・垂直開始位置までのドットクロック数および水平期間数のカウント値をそれぞれ増減する手段と、前記水平カウンタからのカウント値又はこれを増減した値が前記映像データ信号の開始位置までのドットクロック数の設定値と一致した場合に、前記ラインメモリへの書き込みスタートパルスを発生させる手段と、前記垂直カウンタからのカウンタ値又はこれを増減した値が前記映像データ信号の開始位置までの水平期間数の設定値と一致した場合に、前記フレームメモリへの書き込みスタートパルスを発生させる手段とを具備し、液晶表示装置における表示位置の左右上下方向のズレを調整することを特徴とする液晶表示装置によって達成される。」
　と訂正する。
ｄ．特許明細書の段落【００３１】第６行目「前記レジスタ」を「前記水平カウンタ」に訂正する。
（５４）【発明の名称】
液晶表示装置
（５７）【特許請求の範囲】
　【請求項１】　陰極線管用の映像
データ
外部より
　
前記外部より入力される映像データ信号を１ライン分格納するためのラインメモリと、
　
前記ラインメモリからの映像データ信号を１フレーム分格納するためのフレームメモリと、
　
前記フレームメモリから映像データ信号を受取り、前記外部より入力された同期信号に基づいて映像を表示する液晶表示ユニットと、
　
水平同期信号を基準としてドットクロックを計数する水平カウンタと、
　
前記水平カウンタからのカウント値を受け、垂直同期信号を基準として水平期間数を計数する垂直カウンタと、
　
前記液晶表示ユニットにおける、前記水平同期信号を基準としたときの映像データ信号の開始位置までのドットクロック数、１水平表示期間中のドットクロック数、前記垂直同期信号を基準としたときの映像データ信号の開始位置までの水平期間数の設定値をそれぞれ格納する手段と、
　
前記
　
前記
、前記水平カウンタおよび前記垂直カウンタで計数された
および
それぞれ増減
　
前記水平カウンタからのカウンタ値又はこれを増減した値が前記映像データ信号の開始位置までのドットクロック数の設定値と一致した場合に、前記ラインメモリへの書き込みスタートパルスを発生させる手段と、
　
前記垂直カウンタからのカウンタ値又はこれを増減した値が前記映像データ信号の開始位置までの水平期間数の設定値と一致した場合に、前記フレームメモリへの書き込みスタートパルスを発生させる手段と
　液晶表示装置における表示位置の左右上下方向のズレを調整することを特徴とする液晶表示装置。
【発明の詳細な説明】
　【０００１】
　【産業上の利用分野】
　本発明は、コンピュータ、ワークステーション、ビデオなどの映像表示装置全般に広く用いられる液晶表示装置に関する。
　【０００２】
　【従来の技術】
　近年、パーソナルコンピュータやワークステーションなどの装置の表示手段として、液晶表示装置が多用されるようになってきている。液晶表示装置は、従来からのＣＲＴなどと比較して、表示手段を薄く、軽量なものとすることができるため、特に、携帯型の装置や省スペースを目的とした装置などで使用される。
　【０００３】
　図２にパーソナルコンピュータやワークステーションと液晶表示装置との接続の様子を示す。パーソナルコンピュータやワークステーション２１などの映像信号を液晶表示装置２２に表示する場合、図示したように赤（Ｒ）、緑（Ｇ）、青（Ｂ）に色分解された映像データ信号と、水平・垂直同期信号が必要となる。
　【０００４】
　液晶表示装置では、データ信号の１ドットに対し、液晶の１ドット（１ドットは、Ｒ，Ｇ，Ｂで一組）が対応しており、同期信号と映像データ信号のタイミングの相対位置があわないと、左右もしくは上下にデータが欠落した状態で表示される。即ち、水平（垂直）同期信号の立下りを基準とした水平（垂直）方向での映像表示開始位置が液晶表示ユニットの入力タイミングを満足していなければならない。図３、図４に「Ｈ」を表示した場合を例として示す。図３は同期信号と映像データ信号のタイミングの相対位置があっている場合を示す。一方、図４は水平同期信号に対して、映像信号が１ドット分だけズレている場合を示し、このため、図４では左側の縦線が画面左端よりはみ出してしまい表示されていない。
　【０００５】
　映像データ信号と水平・垂直の同期信号の相対位置を決める基準信号は、液晶表示装置内部で発生されるドットクロックという、映像データ信号と１対１に対応する信号である。たとえば、図５のように１ドットのクロックが２５．１７５ＭＨｚ、水平同期信号が３１．５ＫＨｚとすると、１水平期間の総ドット数は８００ドットである。この間の映像表示期間６４０ドットが表示データの存在する期間である。
　【０００６】
　ここで、水平方向に着目するならば、水平同期信号の立下り時点と、映像データ信号の表示開始位置の関係が問題となる。この期間が液晶表示ユニットの入力タイミングを満足していないと、水平方向の文字位置のズレ、文字の欠落が発生する。
　【０００７】
　これは垂直方向も同様で、垂直同期信号の立下り位置に対する、映像表示期間の開始位置によって、ラインのズレ、欠落が発生する。
　【０００８】
　たとえば、液晶表示ユニットの水平同期信号の立下りと映像表示開始位置が、１００ドットクロック分が正しい位置、すなわち液晶表示ユニットの１ドット目と映像データ信号の１ドット目が一致する場合を考える。このとき、水平同期信号と映像表示開始位置が９９ドットの場合図６のＣのようになり、１０１ドットの場合、図６のＢのようになる。ところが、水平（又は垂直）同期信号と映像表示開始位置は送り側のデータでまちまちであり、前記の例で言えば、図６のＢに示すように、１００ドットの表示開始位置のときに、映像データが液晶パネルにぴったり収まることになる。ＣＲＴ表示装置のように、アンダー・スキャンをしているものであれば、多少左右（又は上下）にズレでも表示データが画面より欠落することはないが、液晶表示装置のように、映像表示期間と表示ドット数が一致しているような場合には、１ドット（又は１ライン）でもズレるとデータの欠落として表示される。
　【０００９】
　図７は、液晶表示装置の表示部の構成例である。表示部は映像データ信号７１が入力され、アナログ信号をデジタル信号に変換するためのＡ／Ｄ変換器７２、Ａ／Ｄ変換器７２からの１ライン分の映像データを格納するラインメモリ７３、ラインメモリ７３からの映像データを１フレーム分（例えば６４０ドット×４８０ライン）格納するフレームメモリ７４、フレームメモリ７４から映像データ信号を受取り、映像を表示する液晶（ＬＣＤ）表示ユニット７５を備えている。
　【００１０】
　また、ラインメモリ７３の書き込み制御信号（ＬＷ）及び読み出し制御信号（ＬＲ）を発生させるため、水平同期信号７６とドットクロック７７とが入力される水平カウンタ７８、及び水平位置設定レジスタ８１を備えている。
　【００１１】
　水平カウンタ７８は水平同期信号の立ち下がりを基準としてドットクロックを計数するものである。水平位置設定レジスタ８１は、水平同期信号の立ち下がりを基準としたときの映像信号の開始位置までのドットクロック数（先の例では１００）が設定されている。該水平位置設定レジスタ８１には、設定値と前記水平カウンタからのカウント値とを比較する手段が備えられており、これらが一致した場合にはラインメモリへの書き込みスタートパルスが発生される。
　【００１２】
　更に、これらに付随するものとして、実際に入力されたドットクロック数に対して水平カウンタ７８のカウント出力値を増減させるための複数のレジスタ８５を備え、これらは夫々異なる値を格納し、いずれかのレジスタがスイッチ手段にて選択され、その内容が水平カウンタの増減値（プリセット値）として供給されるように構成されている。
　【００１３】
　一方、フレームメモリ７４への書き込み制御信号を発生させるため、水平カウンタ７８からのカウント値が入力される水平サイズ設定レジスタ８２、垂直同期信号と水平カウンタ７８からのカウント値とが入力される垂直カウンタ８０、垂直カウンタからのカウント値が入力される垂直位置設定レジスタ８３、及び水平サイズ設定レジスタ８２からの信号と垂直位置設定レジスとタからの信号とが入力されるフレームメモリ・コントローラ８４を備える。
　【００１４】
　水平サイズ設定レジスタ８２は、液晶表示ユニットの１水平表示期間中のドットクロック数である水平表示サイズ（実際には水平表示サイズに水平位置レジスタに設定された値を和したもの、先の例では１００＋６４０）が格納されており、水平カウンタ７８からのカウント値を受けて、水平表示位置の終端を検出し、フレームメモリコントローラ８４に信号を出力する。垂直カウンタ８０は水平カウンタからのカウント値を受け、垂直同期信号の立ち下がりを基準として、１水平期間毎（先の例では８００カウント毎）にカウントアップされるように構成されたものである。垂直位置設定レジスタ８３には、垂直同期信号の立ち下がりを基準としたときの映像信号の開始位置までの水平期間数が設定されており、該垂直位置設定レジスタ８３には、設定値と前記垂直カウンタ８０からのカウント値とを比較する手段が備えられており、これらが一致した場合にはフレームメモリへの書き込みスタートパルスが発生される。フレームメモリ・コントロール８４は、水平サイズ設定レジスタからの終端検出信号と垂直位置設定レジスタからのフレームメモリへの書き込みスタートパルスに基づいて書き込み制御信号ＦＷを発生するものである。
　【００１５】
　更に、これらに付随するものとして、実際に入力された水平期間数に対して垂直カウンタ８０のカウント出力値を増減させるための複数のレジスタ８６を備え、これらは夫々異なる値を格納し、いずれかのレジスタがスイッチ手段にて選択され、その内容が垂直カウンタ８０の増減値（プリセット値）として供給されるように構成されている。
　【００１６】
　【発明が解決しようとする課題】
　入力された映像データ信号（Ｒ，Ｇ，Ｂ）７１は、アナログの場合、Ａ／Ｄ変換器７２を経由し、ラインメモリ７３に入る。入力信号がディジタル信号の場合は、Ａ／Ｄ変換器を省略できる。このデータはさらに１水平期間分をラインメモリ７３に蓄積し、１垂直期間分をフレームメモリ７４に蓄積して、順次液晶表示ユニット７５に出力される。
　【００１７】
　このとき、水平同期信号と水平方向の映像表示開始位置との関係は、図８に示すようにラインメモリへの書き込みのタイミングにより決まり、一方、垂直同期信号と垂直方向の映像表示開始位置との関係は、図９に示すようにフレームメモリへの書き込みタイミングにより決まる。
　【００１８】
　水平方向の基準は水平同期信号であり、水平同期信号からのドットクロックのカウント値により水平表示開始位置が決定される。従って、実際のドットクロック数に対してカウント値を増減させることにより、液晶表示ユニットに関しての水平方向での映像表示開始位置を調整することが可能となる。従来はそのカウント値の増減は、表示画面をユーザーが目視してスイッチによりレジスタ８５を切り替えることにより行われていた。
　【００１９】
　また、垂直方向も同様に垂直同期信号を基準に水平期間をカウントして決定される。従って、実際の水平期間に対してカウント値を増減させることにより、液晶表示ユニットに関しての垂直方向での映像表示開始位置を調整することが可能となる。従来、水平位置の場合と同様に、水平期間のカウント値の増減は、表示画面をユーザーが目視して、スイッチによりレジスタ８６を切り替えることにより行われていた。
　【００２０】
　以上述べたように、映像表示位置のズレを調整するのに、従来は、使用者が目視をし、もしズレていれば、スイッチなどによりドットクロックや水平表示期間のカウント値を変更し、映像信号と同期信号の調整を行なっていたため、手間がかかり、精度も悪く、時間もかかるという問題点を有していた。
　【００２１】
　そこで、本発明は、かかる問題点を解決し、高精度な映像表示位置の調整が、ユーザーの目視を必要とすることなく自動的に行われ、常に映像を適正に表示し得る液晶表示装置を提供することを目的とする。
　【００２２】
　【課題を解決するための手段】
　上記目的は、本発明によれば、陰極線管用の映像
データ
外部より
前記外部より入力された映像データ信号を１ライン分格納するためのラインメモリと、前記ラインメモリからの映像データ信号を１フレーム分格納するためのフレームメモリと、前記フレームメモリから映像データ信号を受取り、前記外部より入力された同期信号に基づいて映像を表示する液晶表示ユニットと、水平同期信号を基準としてドットクロックを計数する水平カウンタと、前記水平カウンタからのカウント値を受け、垂直同期信号を基準として水平期間数を計数する垂直カウンタと、前記液晶表示ユニットにおける、前記水平同期信号を基準としたときの映像データ信号の開始位置までのドットクロック数、１水平表示期間中のドットクロック数、前記垂直同期信号を基準としたときの映像データ信号の開始位置までの水平期間数の設定値をそれぞれ格納する手段と、前記
前記
、前記水平カウンタおよび前記垂直カウンタで計数された
および
それぞれ増減
前記水平カウンタからのカウンタ値又はこれを増減した値が前記映像データ信号の開始位置までのドットクロック数の設定値と一致した場合に、前記ラインメモリへの書き込みスタートパルスを発生させる手段と、前記垂直カウンタからのカウンタ値又はこれを増減した値が前記映像データ信号の開始位置までの水平期間数の設定値と一致した場合に、前記フレームメモリへの書き込みスタートパルスを発生させる手段と
　【００２３】
　【００２４】
　【作用】
　上記構成によれば、映像データ信号をチェックし、映像データ信号の表示開始位置と表示終了位置と水平・垂直同期信号とのそれぞれの相対位置ズレを検出し、これに基づき、ドットクロックや水平表示期間のカウント値を変更し、液晶表示装置における表示位置の左右上下方向のズレを調整し、同期信号と映像信号の位置関係を正規に設定する。これにより映像を画面の正規の位置に表示し、映像の欠落やズレをなくすことができる。
　【００２５】
　従来例の説明で示したように、水平同期信号と映像表示開始位置、垂直同期信号と映像表示開始位置は、それぞれラインメモリ、フレームメモリへの書き込みタイミングによって決められる。ラインメモリの書き込みタイミングは、水平同期信号を基準にカウントしたドットクロックのカウント値によって決められるので、映像表示位置を調整するには、そのカウント値を制御すれば良い。
　【００２６】
　表示位置がズレるか否かは、水平同期信号と、映像データ信号の相対位置関係にかかわっているので、水平同期信号の位置とドットクロックのカウント値を比較して、その相対位置を求め、カウント値を変化させれば、相対位置も変化する。たとえば、表示位置が左にズレる場合には、映像データ信号の表示開始位置、右にズレるかどうかは映像データ信号の終了位置（映像データの表示開始位置にデータのドット数を加算した位置）によって決まる。
　【００２７】
　そこで、本発明では、映像データ信号と表示開始位置、表示終了位置をチェックし、もし、ズレていれば、それに合わせて水平（又は垂直）のカウント値を変更し、ズレがなくなるまで続けることにより、正規の位置に表示を行なうものである。
　【００２８】
　【実施例】
　以下、本発明の一実施例を図面に基づき説明する。
　【００２９】
　図１は本発明に基づく液晶表示装置の表示部の回路ブロック図である。表示部は映像データ信号１が入力され、アナログ信号をデジタル信号に変換するためのＡ／Ｄ変換器２、Ａ／Ｄ変換器２からの１ライン分の映像データを格納するラインメモリ３、ラインメモリ３からの映像データを１フレーム分（例えば６４０ドット×４８０ライン）格納するフレームメモリ４、フレームメモリ４から映像データ信号を受取り、映像を表示する液晶（ＬＣＤ）表示ユニット５を備えている。
　【００３０】
　また、ラインメモリ３の書き込み制御信号（ＬＷ）及び読み出し制御信号（ＬＲ）を発生させるため、水平同期信号６とドットクロック７とが入力される水平カウンタ８、及び水平位置検出・設定レジスタ１１を備えている。
　【００３１】
　水平カウンタ８は水平同期信号の立ち下がりを基準としてドットクロックを計数するものである。水平位置検出・設定レジスタ１１は、水平同期信号の立ち下がりを基準としたときの映像信号の開始位置までのドットクロック数（先の例では１００）が設定されている。該水平位置設定レジスタ１１には、前記
水平カウンタ
　【００３２】
　一方、フレームメモリ４への書き込み制御信号を発生させるため、水平カウンタ８からのカウント値が入力される水平サイズ検出・設定レジスタ１２、垂直同期信号と水平カウンタ８からのカウント値とが入力される垂直カウンタ１０、垂直カウンタからのカウント値が入力される垂直位置検出・設定レジスタ１３、及び水平サイズ検出・設定レジスタ１２からの信号と垂直位置設定レジスとタからの信号とが入力されるフレームメモリ・コントローラ１４を備える。
　【００３３】
　水平サイズ検出・設定レジスタ１２は、液晶表示ユニットの１水平表示期間中のドットクロック数である水平表示サイズ（実際には水平表示サイズに水平位置レジスタに設定された値を和したもの、先の例では１００＋６４０）が格納されている。該水平サイズ検出・設定レジスタ１２には、水平カウンタ８からのカウント値を後述する水平・垂直位置コントロール１７からの信号に基づき増減させる手段が備えられており、水平カウンタ８からのカウント値又はこれを増減した値に基づき、水平表示位置の終端を検出し、フレームメモリコントローラ１４に信号を出力する。垂直カウンタ１０は水平カウンタからのカウント値を受け、垂直同期信号の立ち下がりを基準として、１水平期間毎（先の例では８００カウント毎）にカウントアップされるように構成されたものである。垂直位置検出・設定レジスタ１３には、垂直同期信号の立ち下がりを基準としたときの映像信号の開始位置までの水平期間数が設定されている。該垂直位置設定レジスタ１３には、垂直カウンタ８０からのカウント値を後述する水平・垂直位置コントロール１７からの信号に基づき増減させる手段と、前記垂直カウンタ８０からのカウント値又はこれを増減した値と設定値とを比較する手段とが備えられており、垂直カウンタ８０からのカウント値又はこれを増減した値と設定値とこれらが一致した場合にはフレームメモリへの書き込みスタートパルスが発生される。
　【００３４】
　フレームメモリ・コントロール１４は、水平サイズ設定レジスタからの終端検出信号と垂直位置設定レジスタからのフレームメモリへの書き込みスタートパルスに基づいて書き込み制御信号ＦＷを発生するものである。
　【００３５】
　本実施例にてなる液晶表示装置は、映像の水平方向での位置ズレを自動的に検出すべく、水平位置ズレ検出回路１５が備えられてる。水平位置ズレ検出回路１５には、Ａ／Ｄ変換後の映像データ信号がＯＲ回路１８を介して入力されるとともに、水平位置検出・設定回路からの検出信号が供給されている。水平位置ズレ検出回路１５は、これらの信号及び水平表示サイズから左側（表示開始側）での位置ズレ（表示開始位置に対する水平方向での映像信号のはみ出し）を表す信号ＬＯ、右側（表示終端側）での位置ズレ（表示終了位置に対する水平方向での映像信号のはみ出し）を表す信号ＲＯを出力するものである。表示開始位置に対する映像信号のはみ出しがある場合にはＬＯ＝１、ＲＯ＝０となり、表示終了位置に対する映像信号のはみ出しがある場合にはＬＯ＝０、ＲＯ＝１となる。表示開始位置側、表示終了位置側のいずれにも映像信号のはみ出しがない場合にはＬＯ＝０、ＲＯ＝０となる。
　【００３６】
　一方、本実施例にてなる液晶表示装置は、映像の垂直方向での位置ズレの自動検出を可能とすべく、垂直位置ズレ検出回路１６が備えられてる。垂直位置ズレ検出回路１６には、Ａ／Ｄ変換後の映像データ信号がＯＲ回路１８を介して入力されるとともに、垂直位置検出・設定回路からの検出信号が供給されている。垂直位置ズレ検出回路１６は、これらの信号及び垂直表示サイズ（例えば４８０ライン）から上側（表示開始側）での位置ズレ（表示開始位置に対する垂直方向での映像信号のはみ出し）を表す信号ＵＯ、下側（表示終端側）での位置ズレ（表示終了位置に対する水平方向での映像信号のはみ出し）を表す信号ＤＯを出力するものである。表示開始位置に対する映像信号のはみ出しがある場合にはＵＯ＝１、ＤＯ＝０となり、表示終了位置に対する映像信号のはみ出しがある場合にはＵＯ＝０、ＤＯ＝１となる。表示開始位置側、表示終了位置側のいずれにも映像信号のはみ出しがない場合にはＵＯ＝０、ＤＯ＝０となる。
　【００３７】
　水平位置ズレ検出回路１５、垂直位置ズレ検出回路１６の出力は、映像の水平・垂直方向での位置ズレの自動調整を可能とすべく、水平・垂直位置コントロール１７に入力されている。該水平・垂直位置コントロール１７は、水平位置検出回路からの検出信号ＬＯ、ＲＯに基づき、水平位置検出・設定レジスタ１１に対して水平カウンタ８からのカウント値の増減を行うための信号を出力するように構成されている。ＬＯ＝１、ＲＯ＝０の場合は、カウント値を増加させるように制御信号が出力され、その逆にＬＯ＝０、ＲＯ＝１の場合はカウント値を減少させるように制御信号が出力される。
　【００３８】
　また、同様に垂直位置ズレ検出回路１６からの検出信号ＵＯ、ＤＯに基づき、垂直位置検出・設定回路１３に対して垂直カウンタ１０からのカウント値の増減を行うための信号を出力するように構成されている。ＵＯ＝１、ＤＯ＝０の場合は、カウント値を増加させるように制御信号が出力され、その逆にＵＯ＝０、ＤＯ＝１の場合は、カウント値を減少させるように制御信号が出力される。
　【００３９】
　また、水平・垂直位置コントロール１７は、水平位置検出・設定レジスタに対して増減を行うための信号を出力する際には、同時に水平サイズ検出・設定レジスタ１２にも、水平カウンタからのカウント値の増減を行うための信号を出力するものである。
　【００４０】
　以下、上記構成にてなる本実施例の液晶表示装置の主要な動作を詳述する。
　【００４１】
　入力された映像データ信号（Ｒ，Ｇ，Ｂ）１は、アナログの場合、Ａ／Ｄ変換器２を経由し、ラインメモリ３に入る。入力信号がディジタル信号の場合は、Ａ／Ｄ変換器を省略できる。
　【００４２】
　一方、水平カウンタは入力される水平同期信号を基準としてドットクロック数を計数し、その計数値を水平位置検出・設定レジスタ１１、水平サイズ検出・設定レジスタ、及び垂直カウンタ１０にそれぞれ供給する。水平位置検出・設定レジスタは、供給されるカウント値が設定された値に達した時点で、ラインメモリへの映像データの書き込みスタートパルスを発生する。これにより、映像信号の１水平期間分がラインメモリ３に蓄積される。
　【００４３】
　垂直カウンタは入力される垂直同期信号を基準として、水平カウンタからの計数値に基づき水平期間を計数し、垂直位置検出・設定レジスタ１３に供給する。垂直位置検出・設定レジスタ１３は、供給されるカウント値が設定された値に達した時点で、ラインメモリへの映像データの書き込みスタートパルスを発生する。これにより、映像信号の１垂直期間分がフレームメモリ４に蓄積される。
　【００４４】
　フレームメモリ４に蓄積された映像信号は、順次液晶表示ユニット５に出力される。
　【００４５】
　いま、液晶表示ユニットの正規の表示開始位置が、水平同期信号の立下りから、ドットクロックで１００ドット目で、映像データ信号のサイズが６４０ドットとし、何らかの映像データ信号が入力されたとする。このときの、水平位置検出・設定レジスタ１１の設定値は１００、水平サイズ検出・設定レジスタの設定値は１００＋６４０となっている。
　【００４６】
　入力された映像信号と水平同期信号の相対位置が９９ドットとすると、それをそのまま表示すると左へ１ドットズレた状態で表示される。このとき図１の水平位置ズレ検出回路１５の出力はＬＯ＝１，ＲＯ＝０となる。そこで、位置コントロール回路１７より水平位置検出・設定回路１１に対して増信号を出力し、カウンタからのカウント値に１ドット加えるように変更すると、実際に入力されるカウント値に１ドット和した値と設定値である１００とを比較することになり、９９ドット目で検出信号が出力され、その結果、ＬＯ＝０，ＲＯ＝０となる。この状態では、水平同期信号と映像データ信号の相対位置は１００ドットとなり表示位置は正規の位置となる。
　【００４７】
　また、映像データ信号と水平同期信号の相対位置が１０１ドットの信号入力された場合、表示は右へ１ドットズレる。このときは図１の水平位置ズレ検出回路１５はＬＯ＝０，ＲＯ＝１となる。そこで、位置コントロール回路部より水平位置検出・設定回路１１に対して減信号を出力し、カウンタからのカウント値を１ドット減ずるように変化させると、実際に入力されるカウント値から１ドット減じた値と設定値である１００とを比較することになり、１０１ドット目で検出信号が出力され、その結果、ＬＯ＝０，ＲＯ＝０となり正規の位置に表示されるようになる。
　【００４８】
　このように、データ信号と水平同期信号より、位置ズレを検出し、ドットクロックのカウント値を変更することにより、表示位置を正規の位置に設定することができる。
　【００４９】
　同様に垂直方向での表示位置の調整も自動的に行われる。
　【００５０】
　いま、液晶表示ユニットの正規の表示開始位置が、垂直同期信号の立下りから、水平期間で３０ライン目で、映像データ信号のサイズが４８０ラインとし、何らかの映像データ信号が入力されたとする。そのとき入力された映像信号と垂直同期信号の相対位置が２９ラインとすると、それをそのまま表示すると上へ１ラインズレた状態で表示される。このとき図１の垂直位置ズレ検出回路部のＵＯ＝１，ＤＯ＝０となる。そこで、位置コントロール回路部より垂直位置検出・設定カウンタ１３に対して増信号を出力し、カウンタからのカウント値に１ライン加えるように変更すると、実際に入力されるカウント値に１ライン和した値と設定値である３０とを比較することになり、２９ライン目で検出信号が出力され、その結果、ＵＯ＝０，ＤＯ＝０となる。この状態では、垂直同期信号と映像データ信号の相対位置は３０ラインとなり表示位置は正規の位置となる。
　【００５１】
　また、映像データ信号と垂直同期信号の相対位置が３１ラインの信号入力された場合、表示は下へ１ラインズレる。このときは図１の垂直位置ズレ検出回路はＵＯ＝０，ＤＯ＝１となる。そこで、位置コントロール回路部より垂直位置検出・設定カウンタ１３に対して減信号を出力し、カウンタからのカウント値を１ライン減ずるように減少させると、実際に入力されるカウント値に１ライン和した値と設定値である３０とを比較することになり、２９ライン目で検出信号が出力され、その結果、ＵＯ＝０，ＤＯ＝０となり正規の位置に表示されるようになる。
　【００５２】
　このように、データ信号と垂直同期信号より、位置ズレを検出し、水平期間のカウント値を変更することにより、表示位置を正規の位置に設定することができる。
　【００５３】
　【発明の効果】
　本発明では、映像データ信号の表示開始位置と表示終了位置と水平・垂直同期信号とのそれぞれの相対位置のズレを検出し、ドットクロック数のカウント値、水平表示期間のカウント値を変更することにより、液晶表示装置における表示位置の左右上下方向のズレを調整し、同期信号と映像信号の相対位置を常に映像が表示装置の表示有効エリアに収まるように補正するので、映像表示位置のズレのチェック・調整を自動で行うことができ、高速でかつ、高精度な映像表示位置の調整を人手を煩わすことなく行なうことができる。
【図面の簡単な説明】
　【図１】
　本発明の液晶表示装置の一実施例の表示部を示す回路ブロック図である。
　【図２】
　コンピュータ等と液晶表示装置の接続例を示す模式図である。
　【図３】
　正しい位置での画面表示の一例を示す図である。
　【図４】
　不適性な位置での画面表示の一例を示す図である。
　【図５】
　水平同期信号、映像信号、及びドットクロックのタイミングを示すタイミング図である。
　【図６】
　画面表示位置の夫々異なる場合の水平同期信号、映像信号、及びドットクロックのタイミングを示す図である。
　【図７】
　従来例の液晶表示装置の表示部を示す回路ブロック図である。。
　【図８】
　水平方向のメモリへの書き込みタイミングを示すタイミング図である。
　【図９】
　垂直方向のメモリへの書き込みタイミングを示すタイミング図である。
　【符号の説明】
１　映像データ信号
２　Ａ／Ｄ変換器
３　ラインメモリ
４　フレームメモリ
５　液晶表示ユニット
６　水平同期信号
７　ドットクロック
８　水平カウンタ
９　垂直同期信号
１０　垂直カウンタ
１１　水平位置検出・設定レジスタ
１２　水平サイズ検出・設定レジスタ
１３　垂直位置検出・設定レジスタ
１４　フレームメモリ・コントロール
１５　水平位置ズレ検出回路
１６　垂直位置ズレ検出回路
１７　水平・垂直位置コントロール